(57)【要約】【課題】専用ラベラー等を使わずに書籍・雑誌にＩＣタグを添付できる紙片ＩＣタグとそれを付した書籍・雑誌を提供する。【解決手段】本発明の紙片ＩＣタグ１は、板紙状紙片を基材とした書籍・雑誌用のＩＣタグであって、紙片１ｂにＩＣチップを嵌め込みできる大きさの凹溝４または透孔を形成し、当該凹溝内に装着したＩＣチップ２と紙片に印刷したアンテナパターン３とを接続したことを特徴とする。また、二つ折りにした板紙状紙片の一方側紙片１ｂにＩＣタグを形成し、他方側紙片１ｃの前記ＩＣチップの対面位置にＩＣチップを納める凹溝または透孔を形成したものであっても良い。本発明の紙片ＩＣタグ付き書籍・雑誌は、このような紙片ＩＣタグを折丁と見返しの間、あるいは表紙または裏表紙に挿入または貼り込みし、または表紙または裏表紙と見返し間等に貼り込み等して製本した書籍・雑誌に関する。【選択図】    図１
2004334268.tif 000002
【特許請求の範囲】
【請求項１】
板紙状紙片を基材とした書籍・雑誌用のＩＣタグであって、紙片にＩＣチップを嵌め込みできる大きさの凹溝を形成し、当該凹溝内に装着したＩＣチップと紙片に印刷したアンテナパターンとを接続したことを特徴とする紙片ＩＣタグ。
【請求項２】
板紙状紙片を基材とした書籍・雑誌用のＩＣタグであって、紙片にＩＣチップを嵌め込みできる大きさの透孔を形成し、当該透孔内に装着したＩＣチップと紙片に印刷したアンテナパターンとを接続したことを特徴とする紙片ＩＣタグ。
【請求項３】
二つ折りにした板紙状紙片を基材とした書籍・雑誌用のＩＣタグであって、二つ折りにした一方側紙片にＩＣチップを嵌め込みできる大きさの凹溝を形成し、当該凹溝内に装着したＩＣチップと紙片に印刷したアンテナパターンとを接続したことを特徴とする紙片ＩＣタグ。
【請求項４】
二つ折りにした板紙状紙片を基材とした書籍・雑誌用のＩＣタグであって、二つ折りにした一方側紙片にＩＣチップを嵌め込みできる大きさの透孔を形成し、当該透孔内に装着したＩＣチップと紙片に印刷したアンテナパターンとを接続したことを特徴とする紙片ＩＣタグ。
【請求項５】
二つ折りにした板紙状紙片の、二つ折りにした際の他方側紙片の前記ＩＣチップの対面位置にＩＣチップの大きさの凹溝または透孔を形成したことを特徴とする請求項３または請求項４記載の紙片ＩＣタグ。
【請求項６】
二つ折りにした板紙状紙片を基材とした書籍・雑誌用のＩＣタグであって、二つ折りにした一方側紙片にアンテナパターンを印刷してＩＣチップを接続したＩＣタグを形成し、紙片を二つ折りにした際の他方側紙片の前記ＩＣチップの対面位置にＩＣチップの大きさの凹溝を形成したことを特徴とする紙片ＩＣタグ。
【請求項７】
二つ折りにした板紙状紙片を基材とした書籍・雑誌用のＩＣタグであって、二つ折りにした一方側紙片にアンテナパターンを印刷してＩＣチップを接続したＩＣタグを形成し、紙片を二つ折りにした際の他方側紙片の前記ＩＣチップの対面位置にＩＣチップの大きさの透孔を形成したことを特徴とする紙片ＩＣタグ。
【請求項８】
二つ折りにした板紙状紙片の一方側を他方側紙片よりも幅広にしたことを特徴とする請求項３ないし請求項７のいずれか１の請求項に記載の紙片ＩＣタグ。
【請求項９】
二つ折りにした板紙状紙片を、ＩＣチップを内側にして折り曲げ、対面する紙片の面間を接着したことを特徴とする請求項３ないし請求項８のいずれか１の請求項に記載の紙片ＩＣタグ。
【請求項１０】
アンテナパターンがコイル状の誘導結合型パターンであって、コイル両端の接続端子をコイル線束の両側に接近して設け、コイル両接続端子間の線束部分を押圧して凹溝を設け、当該凹溝内にＩＣチップを装着したことを特徴とする請求項１または請求項３記載の紙片ＩＣタグ。
【請求項１１】
請求項１ないし請求項１０のいずれか１の請求項に記載の紙片ＩＣタグを折丁と見返しの間に挿入または貼り込みし、または表紙または裏表紙と見返しの間に挿入または貼り込みして平綴じまたは無線綴じしたことを特徴とする紙片ＩＣタグ付き書籍・雑誌。
【請求項１２】
請求項１ないし請求項１０のいずれか１の請求項に記載の紙片ＩＣタグを、いずれかの折丁の間に挿入または貼り込みして平綴じまたは無線綴じしたことを特徴とする紙片ＩＣタグ付き書籍・雑誌。
【請求項１３】
請求項１ないし請求項１０のいずれか１の請求項に記載の紙片ＩＣタグを折丁と見返しの間に挿入または貼り込みし、または表紙または裏表紙と見返しの間に挿入または貼り込みして上製本したことを特徴とする紙片ＩＣタグ付き書籍。
【請求項１４】
請求項１ないし請求項１０のいずれか１の請求項に記載の紙片ＩＣタグを、いずれかの折丁の間に挿入または貼り込みして上製本したことを特徴とする紙片ＩＣタグ付き書籍。
【請求項１５】
請求項１ないし請求項１０記載の紙片ＩＣタグを折丁と見返しの間に挿入または貼り込みし、または表紙または裏表紙と見返しの間に挿入または貼り込みして中綴じしたことを特徴とする紙片ＩＣタグ付き書籍・雑誌。
【請求項１６】
請求項３または請求項４記載の紙片ＩＣタグを、いずれかの折丁の間、折丁と見返しの間、または表紙または裏表紙と見返しの間、のいずれかの箇所に挿入して中綴じしたことを特徴とする紙片ＩＣタグ付き書籍・雑誌。
【発明の詳細な説明】
【０００１】
【発明の属する技術分野】
この発明は紙片ＩＣタグと紙片ＩＣタグを備える書籍・雑誌に関する。
詳しくは、書籍・雑誌に使用するＩＣタグであって、製本工程等において扱い易い形態にした紙片を基材とするＩＣタグであり、また当該紙片ＩＣタグを使用した書籍・雑誌に関する。
従って、本発明の利用分野は書籍・雑誌に使用するＩＣタグや書籍・雑誌の製本、加工の分野に関する。
【０００２】
【従来技術】
非接触ＩＣタグ（「無線タグ」、「ＲＦ−ＩＤタグ」、「ＲＦ−ＩＤ素子」、「非接触データキャリア」等と呼ばれることもある。）が物流管理や商品の品質表示、あるいは盗難防止を目的として広く使用されるようになってきている。
書籍や雑誌にも非接触ＩＣタグを付して、物流管理や書籍の検索目的、あるいは売上や返品の管理、盗難防止目的に使用することが検討されている。
しかし、書籍や雑誌に非接触ＩＣタグを付ければ、これらの目的に好適であることは理解できても、現実に大量に発行される出版物に生産性を落とさず採算ベースで洩れなくＩＣタグを付することには困難が伴う。
【０００３】
書籍・雑誌に非接触ＩＣタグを付するためには、表紙貼り前の製本の工程で背表紙部分または表紙または裏表紙と見返し間、等になる部分の所定位置に、専用の自動ラベリング装置を用いて、ＩＣタグを１冊ごとに連続的に貼着することが考えられる。しかし、書籍・雑誌の製本工程は、中小の企業で行われることが多く、専用のラベリング装置の導入は新たな設備負担を強いることになる。
また、書籍・雑誌の販売量は年間において季節変動が大きく、繁忙期に対応した設備を備えることは、中小の企業ならずとも危険性が大となる。
ＩＣタグを付すれば、販売数量が増加する訳でもなく、各種情報媒体、特に電子媒体の出現により紙媒体が低迷傾向にある中では新たな設備負担には慎重にならざるを得ない。
【０００４】
そこで、従来からの既存設備でＩＣタグを装着することを検討する必要があるが、それを可能とする方法としてＩＣタグを本文頁サイズと同等またはそれ以下のサイズの紙片に形成したＩＣタグ付き紙片とすることが考えられる。
この場合は、貼り込み点数が１点増えたという感覚で通常の製本工程で丁合することが可能となる。
さらに作業を容易にするためのＩＣタグ付き紙片は、ＩＣチップの厚みを吸収してできるだけ平面な状態にすべきことを考慮する必要がある。紙面に、５００μｍ近くの厚みのあるＩＣチップが突出していると、紙片を積み上げた状態が不安定となるため、多数枚を重ねて行う作業の作業性が低下するからである。
このような紙材料からなるＩＣタグや製本方法を検討すると、以下のような先行技術が存在する。
【０００５】
特許文献１は、上製本へのＲＦＩＤタグの取り付け方法に関するが、芯ボールにＲＦＩＤタグの収納可能な凹溝を形成し、この凹溝内にＲＦＩＤタグを取り付けてＲＦＩＤタグ付き芯ボールを形成し、このＲＦＩＤタグ付き芯ボールをクロス材料と貼り合わせてＲＦＩＤタグ付き表紙を形成し、このＲＦＩＤタグ付き表紙で本の中身をくるんで上製本を作製する、ことを記載している。
しかし、この場合は、ＲＦＩＤタグや芯ボールを使用するのでコスト高となるほかＲＦＩＤタグの面積が限られるので通信距離を大きく確保できない問題がある。
【０００６】
特許文献２、特許文献３は、表紙の内面と見返し間等に、非接触ＩＣタグを貼着することを提案しているが、ラベルを供給するフィーダー等が必要になり、従来設備のままでの実施は困難と考えられる。
【０００７】
【特許文献１】特開２００３−１１５４４号公報
【特許文献２】特願２００３−０３９８３１号
【特許文献３】特願２００３−０３９８７２号
【０００８】
【発明が解決しようとする課題】
そこで、本発明では、紙片や折丁を扱いの対象とする従来設備のみで製本加工できる低コストな紙片ＩＣタグの形態と当該紙片ＩＣタグを付した書籍・雑誌について研究し本発明の完成に至ったものである。
【０００９】
【課題を解決するための手段】
上記課題を解決するための本発明の要旨の第１は、板紙状紙片を基材とした書籍・雑誌用のＩＣタグであって、紙片にＩＣチップを嵌め込みできる大きさの凹溝を形成し、当該透孔内に装着したＩＣチップと紙片に印刷したアンテナパターンとを接続したことを特徴とする紙片ＩＣタグ、にある。
【００１０】
上記課題を解決するための本発明の要旨の第２は、板紙状紙片を基材とした書籍・雑誌用のＩＣタグであって、紙片にＩＣチップを嵌め込みできる大きさの透孔を形成し、当該透孔内に装着したＩＣチップと紙片に印刷したアンテナパターンとを接続したことを特徴とする紙片ＩＣタグ、にある。
【００１１】
上記課題を解決するための本発明の要旨の第３は、二つ折りにした板紙状紙片を基材とした書籍・雑誌用のＩＣタグであって、二つ折りにした一方側紙片にＩＣチップを嵌め込みできる大きさの凹溝を形成し、当該凹溝内に装着したＩＣチップと紙片に印刷したアンテナパターンとを接続したことを特徴とする紙片ＩＣタグ、にある。
【００１２】
上記課題を解決するための本発明の要旨の第４は、二つ折りにした板紙状紙片を基材とした書籍・雑誌用のＩＣタグであって、二つ折りにした一方側紙片にＩＣチップを嵌め込みできる大きさの透孔を形成し、当該透孔内に装着したＩＣチップと紙片に印刷したアンテナパターンとを接続したことを特徴とする紙片ＩＣタグ、にある。
【００１３】
上記課題を解決するための本発明の要旨の第５は、二つ折りにした板紙状紙片を基材とした書籍・雑誌用のＩＣタグであって、二つ折りにした一方側紙片にアンテナパターンを印刷してＩＣチップを接続したＩＣタグを形成し、紙片を二つ折りにした際の他方側紙片の前記ＩＣチップの対面位置にＩＣチップの大きさの凹溝を形成したことを特徴とする紙片ＩＣタグ、にある。
【００１４】
上記課題を解決するための本発明の要旨の第６は、二つ折りにした板紙状紙片を基材とした書籍・雑誌用のＩＣタグであって、二つ折りにした一方側紙片にアンテナパターンを印刷してＩＣチップを接続したＩＣタグを形成し、紙片を二つ折りにした際の他方側紙片の前記ＩＣチップの対面位置にＩＣチップの大きさの透孔を形成したことを特徴とする紙片ＩＣタグ、にある。
【００１５】
上記課題を解決するための本発明の要旨の第７は、請求項１ないし請求項１０のいずれか１の請求項に記載の紙片ＩＣタグを折丁と見返しの間に挿入または貼り込みし、または表紙または裏表紙と見返しの間に挿入または貼り込みして平綴じまたは無線綴じしたことを特徴とする紙片ＩＣタグ付き書籍・雑誌、にある。
【００１６】
上記課題を解決するための本発明の要旨の第８は、請求項１ないし請求項１０のいずれか１の請求項に記載の紙片ＩＣタグを、いずれかの折丁の間に挿入または貼り込みして平綴じまたは無線綴じしたことを特徴とする紙片ＩＣタグ付き書籍・雑誌、にある。
【００１７】
上記課題を解決するための本発明の要旨の第９は、請求項１ないし請求項１０のいずれか１の請求項に記載の紙片ＩＣタグを折丁と見返しの間に挿入または貼り込みし、または表紙または裏表紙と見返しの間に挿入または貼り込みして上製本したことを特徴とする紙片ＩＣタグ付き書籍、にある。
【００１８】
上記課題を解決するための本発明の要旨の第１０は、請求項１ないし請求項１０のいずれか１の請求項に記載の紙片ＩＣタグを、いずれかの折丁の間に挿入または貼り込みして上製本したことを特徴とする紙片ＩＣタグ付き書籍、にある。
【００１９】
上記課題を解決するための本発明の要旨の第１１は、請求項１ないし請求項１０記載の紙片ＩＣタグを折丁と見返しの間に挿入または貼り込みし、または表紙または裏表紙と見返しの間に挿入または貼り込みして中綴じしたことを特徴とする紙片ＩＣタグ付き書籍・雑誌、にある。
【００２０】
上記課題を解決するための本発明の要旨の第１２は、請求項３または請求項４記載の紙片ＩＣタグを、いずれかの折丁の間、折丁と見返しの間、または表紙または裏表紙と見返しの間、のいずれかの箇所に挿入して中綴じしたことを特徴とする紙片ＩＣタグ付き書籍・雑誌、にある。
【００２１】
【発明の実施の形態】
以下、図面等を参照して、本発明の紙片ＩＣタグと紙片ＩＣタグ付き書籍・雑誌、等について説明する。
図１、図２、図３、図４、図５、図６は、本発明の紙片ＩＣタグの各種実施形態を示す図、図７は、拡張端子付きＩＣチップを示す図、図８は、アンテナコイルとＩＣチップの接続部を示す図、図９は、ＩＣチップの他の装着方法を示す図、である。図１０、図１１、図１２、図１３、図１４、図１５は紙片ＩＣタグ付き書籍・雑誌、または書籍の各種例を示す図、である。
【００２２】
図１は、本発明の紙片ＩＣタグの第１実施形態を示す図であって、図１（Ａ）は平面図、図１（Ｂ）は図１（Ａ）のＡ−Ａ線断面図である。
図１（Ａ）のように、紙片ＩＣタグ１は、長方形状の紙片１ｂにＩＣチップ２を嵌め込みできる大きさの凹溝４を形成し、凹溝４の周囲にアンテナパターン３を印刷する。凹溝４はアンテナパターン３の印刷後に形成してもよい。
当該凹溝４内にＩＣチップ２を装着して、ＩＣチップ２とアンテナパターン３を電気的に接続するようにする。
凹溝４を設けるのは、ＩＣチップ２の厚みを紙片の厚み内に吸収するためのものなので、凹溝はＩＣチップ２の平面形状と厚みの少なくとも一部を嵌め込みできる深さを有するようにする。
【００２３】
通常、ＩＣチップ２は、２００μｍ〜５００μｍ程度の厚みがあるので、凹溝３も対応した深さが必要であって、紙片自体もその凹溝を形成できる厚みを有する板紙や厚紙であるのが好ましい。ただし、ＩＣチップ２の全体厚みを納める深さでなくても、一部の厚みを納められる深さであれば、ＩＣチップの紙片からの突出が少なくなり紙片を重ねた場合の積み姿を安定させることができる。
一般的に使用されるコート紙の場合、１１０ｋｇ／４６判で、１１０μｍ、上質紙の場合、１１０ｋｇ／４６判で、１３０μｍ程度の厚みとなる。この程度の厚みであってもエンボスの押圧により、厚みの半分程度の深さの凹溝が形成できるので所定の効果を奏することができる。ただし、紙の復元や押圧による戻りは多少生じる。
紙基材としては他に、ボール紙やコートボール紙、チップボール紙等の使用が可能となる。
【００２４】
ＩＣチップ２の平面形状は、矩形状であって５ｍｍ×５ｍｍ程度以下、１ｍｍ×１ｍｍ以上のものが多いが、アンテナパターンに接続し易い形態のものが開発されている。すなわち、従来の半導体素子はチップの表面に微小なパッドがあって回路との接続には、ワイヤボンディング等で接続する精密作業が必要であるが、ＩＣタグ用のＩＣチップとしては、図７のように、パッドｐ１，ｐ２から翼状に拡張した端子ｗ１，ｗ２を有するＩＣチップ２ｗが開発されている。
本発明の紙片ＩＣタグは、このようなＩＣチップ２ｗを使用することには限定されないが、拡張端子を有するＩＣチップであれば、導電性接着剤等を用いてアンテナパターン３に接続できるので紙片ＩＣタグの製作が容易となる。
【００２５】
板紙状紙片に印刷するアンテナパターンは、導電性インキを用いてシルクスクリーン印刷等により行う。シルク印刷の盛り量は１００〜３００μｍ程度はあるので、この盛り量によってもＩＣチップの厚みを吸収する効果を有する。
アンテナパターンは、誘導結合型のコイル状パターンや静電結合型のパッチ型パターンが用いられる。誘導結合型の場合は、１３．５６ＭＨｚ（ＩＳＯ１５６９３準拠）が用いられることが多く、パッチ型の場合は、２．４５ＧＨｚの周波数が用いられることが多い。
紙基材の吸湿による影響を避けるためには、アンテナパターン印刷前の絶縁処理として、防湿性コーティングを施しておくのが好ましい。
【００２６】
コイル状パターンの場合は、コイルの両端部間にＩＣチップを装着する必要があるので、コイルの両端は接近した位置に配置する必要がある。
このためには、図１（Ａ）中のサークルＣ部分のように、コイルの一端を絶縁塗膜を介してコイルの上側または下側を通して他方の端子側近くに配置するようなジャンピング回路処理が必要となる。
凹溝４は、アンテナパターン３を印刷した後、このアンテナパターンの両接続端部を含めて押圧エンボスして凹溝とすることができる。その場合は、当該凹溝の底面でＩＣチップ２とアンテナパターンを接続することができる。
【００２７】
図２は、本発明の紙片ＩＣタグの第２実施形態を示す図であって、図２（Ａ）は平面図、図２（Ｂ）は図２（Ａ）のＡ−Ａ線断面図である。
図２（Ａ）のように、紙片ＩＣタグ１の第２実施形態は、長方形状の紙片１ｂにＩＣチップ２を嵌め込みできる大きさの透孔５を形成し、透孔５の周囲にアンテナパターン３を印刷しＩＣチップ２と接続する。なお、透孔とは、紙片１ｂを貫通している孔のことをいう。
第２実施形態の場合は、ＩＣチップ２の背面が紙片により支持されないので、ＩＣチップが脱落しないようにするためには、透孔５の大きさをＩＣチップ２の大きさに合わせて打ち抜き、孔の側面でＩＣチップを支持するのが好ましい。
あるいはまた、ＩＣチップをアンテナパターン２に接続した後、周囲に樹脂を充填して固定するようにしても良い。
【００２８】
図３は、本発明の紙片ＩＣタグの第３実施形態を示す図である。
第３実施形態は、二つ折りにした板紙状紙片１ｂ，１ｃの一方側紙片１ｂにＩＣチップを嵌め込みできる大きさの凹溝４を形成し、当該凹溝内に装着したＩＣチップと紙片に印刷したアンテナパターン３とを接続したことを特徴とする。
図３の下側の矢印は、折り線６を谷折りしてアンテナパターン３上に紙片１ｃを重ねることを示している。以下の各図においても同様である。
第３実施形態のような二つ折り紙片を使う場合は、紙片を折り曲げない平面な状態でも、二つ折りにした状態でも、どちらの状態でも使用できる。
【００２９】
図４は、本発明の紙片ＩＣタグの第４実施形態を示す図である。
第４実施形態は、第３実施形態と同様のものであるが紙片１ｂ，１ｃを二つ折りにした一方側紙片１ｂに透孔５を形成して、当該透孔内にＩＣチップ２を装着した違いがある。紙片１ｄは、紙片１ｂ，１ｃ間を接着する場合に、折り線７を中綴じ用等に使用するためのもので必須のものではない。
第３実施形態と第４実施形態は折り線６で二つ折りにして面間を接着して使うことができる。二つ折りにすることで、ＩＣタグを見えなくすることができ、アンテナの断線を防止できる。
【００３０】
第３実施形態も第４実施形態も、二つ折りにした他方側紙片１ｂに、凹溝４または透孔５を形成してもよい。凹溝に対して凹溝、透孔に対して透孔、である必要はなく、凹溝に対して透孔、透孔に対して凹溝、であってもよい。ただし、いずれかが透孔であれば、ＩＣチップ２の位置を確認するには好都合である。
これらの場合は双方に凹溝４または透孔５が形成されているので、二つ折りにして使用する場合はＩＣチップの厚みを納め易い。
第３実施形態と第４実施形態の紙片ＩＣタグは、折り線６部分を中綴じして使う場合に好適に使用できる。紙片１ｂ，１ｃ間を接着して折り線７部分で中綴じする場合も同様である。ただし、折り線６で中綴じする場合には他方側紙片１ｃに凹溝または透孔を設ける意味はなくなる。
【００３１】
図５は、本発明の紙片ＩＣタグの第５実施形態を示す図である。
第５実施形態は、二つ折りにした板紙状紙片１ｂの一方側紙片にアンテナパターン３を印刷してＩＣチップを接続した紙片ＩＣタグを形成し、折り線６を介する他方側紙片１ｃであって、ＩＣタグを形成した側の紙片のＩＣチップの対面する位置にＩＣチップの厚みを納める凹溝４を形成したことを特徴とする。
図６は、本発明の紙片ＩＣタグの第６実施形態を示す図である。
第６実施形態は、第５実施形態と同様のものであるが、紙片を二つ折りにした際の他方側紙片１ｃのＩＣチップが対面する位置にＩＣチップの厚みを納める透孔５を形成したことを特徴とする。
【００３２】
第５実施形態も第６実施形態も、紙片ＩＣタグ１となる一方側紙片１ｂには、凹溝も透孔も無いので、通常の紙片ＩＣタグと異なることはない。
したがって、第５実施形態、第６実施形態のいずれも二つ折りにして使用するか、さらに必要により紙片１ｂ，１ｃ間を接着して使用するのが原則となる。
これらの実施形態の場合は、紙片１ｂに紙片１ｃをＩＣチップ２とアンテナパターンが内側になるように二つ折りにして使用するときに紙片１ｃの凹溝または透孔がＩＣチップ２の厚みを吸収する利点がある。また、二つ折りにすることで、第３、第４実施形態と同様にＩＣタグを見えなくすることができ、アンテナの断線を防止できる。
【００３３】
第３実施形態ないし第６実施形態では、二つ折りにした紙片の他方側紙片を一方側より幅広にすることもできる。図４では紙片１ｃ＋１ｄ側、図６では、紙片１ｃ側が紙片１ｂ側よりも幅広にされているが、紙片１ｂ側が幅広であっても良い。幅広部分を設けるのは、紙片ＩＣタグを製本加工機でフィードする際に、二重の紙片ではコシが強い場合など、一枚だけ部分をクランプしてフィードし易くするためである。一枚部分を綴じ部にすることもできる。
【００３４】
図７は、拡張端子付きＩＣチップを示す図、図８は、ＩＣチップとアンテナコイルの接続部を示す図、である。
拡張端子付きＩＣチップ２ｗは、図７のように、ＩＣチップ２ｗのパッドｐ１，ｐ２に接続する導電部材からなる拡張端子ｗ１，ｗ２が設けられている。
このＩＣチップ２ｗとアンテナパターン３を接続する場合は、拡張端子面に導電性接着剤を塗布してアンテナパターンの端部に接続することができる。
【００３５】
図８（Ａ）は、凹溝４にＩＣチップ２を装着する場合で、拡張端子ｗ１，ｗ２とアンテナパターン３の端子間が導電性接着剤８で接着されている。
図８（Ｂ）は、凹溝４内でＩＣチップ２と接続する場合であって、凹溝４の底面部分で拡張端子ｗ１，ｗ２とアンテナパターン３間が導電性接着剤８で接着されている。
図８（Ｂ）の場合は、前記のように、アンテナパターンを印刷後、その両端部も含めてエンボスし、凹溝内でＩＣチップとの接続を行っている。この場合は拡張端子ｗ１，ｗ２が無くても接続は容易である。特に異方導電性接着剤を使用すれば、アンテナの両端子間が離れていれば短絡するようなことはない。
透孔５の場合は図示していないが、図８（Ａ）と同様になる。
【００３６】
図９は、ＩＣチップ２とアンテナの他の装着方法を示す図である。
まず、図９（Ａ）のように、アンテナコイル３の両端子３ａ，３ｂ間が接近するように、ほぼ凹溝の幅程度となるように両端子３ａ，３ｂ間の線幅を細くしてアンテナパターンを形成する。
次に、図９（Ｂ）のように、狭幅となった両端子３ａ，３ｂ間をエンボスして凹溝４を形成する。この際、エンボス金型のコイル線と直交する側の面を、凹溝の底面に対して緩傾斜面にすると、エンボス時の押圧によってコイル線が断線するのを防止することができる。
【００３７】
図９（Ｃ）は、ＩＣチップ２を装着した後の図９（Ｂ）におけるＡ−Ａ線断面である。凹溝４の形成後、ＩＣチップ２を装填してから導電性接着テープ８ｔで固定すれば、パッドｐ１と端子３ａ、パッドｐ２と端子３ｂの接続がなされてアンテナ回路を形成することができる。導電性接着テープ８ｔを使用しないで、拡張端子付きＩＣチップを使用してもよい。
この装着方法の場合は、アンテナコイルにジャンピング回路を形成する必要のない利点が生じる。
【００３８】
次に、紙片ＩＣタグ付き書籍・雑誌について説明する。
本発明の紙片ＩＣタグ付き書籍・雑誌の製造は、（１）平綴じ、（２）無線綴じ、（３）中綴じ、（４）上製本、の各工程で製作することができる。
（１）平綴じの場合は、任意の折丁の間に挿入して平綴じすることができ、あるいは折丁を丁合してから、見返しと折丁の間に紙片ＩＣタグを挿入または貼り込みし、平綴じしてから表紙貼りすれば、見返しと折丁の間に紙片ＩＣタグを有する平綴じ本が得られる。また、見返しの外面に紙片ＩＣタグを挿入または貼り込みして平綴じし、表紙貼りすれば、表紙または裏表紙と見返しの間に紙片ＩＣタグを有する平綴じ本が得られる。表紙または裏表紙と見返しの間を貼り合わせすれば、紙片ＩＣタグを隠すことができる。
【００３９】
（２）無線綴じの場合も同様であって、任意の折丁の間に挿入して無線綴じすることができ、あるいは丁合してから、見返しと折丁の間に紙片ＩＣタグを挿入または貼り込みし、無線綴じしてから表紙貼りすれば、見返しと折丁の間に紙片ＩＣタグを有する無線綴じ本が得られる。また、見返しの外面に紙片ＩＣタグを挿入または貼り込みして無線綴じし、表紙貼りし見返し表紙間を接着すれば、表紙または裏表紙と見返しの間に紙片ＩＣタグを有する無線綴じ本が得られる。
これらの場合は、巻頭、巻末に紙片ＩＣタグが貼り込まれた、または綴じ込まれた本であって、小口糊により小口止めされた中に紙片ＩＣタグがある本になる。
【００４０】
図１０は、いずれかの折丁の間に紙片ＩＣタグ１が貼り込まれるか綴じ込まれた（挿入した）書籍・雑誌を示している。この場合は、無線綴じのほか、平綴じ、上製本、あるいは中綴じも可能である。
なお、本明細書で紙片ＩＣタグを挿入するとは、丁合して接着剤を使用しないで綴じ込みすることで、貼り込みするとは接着剤を使って取り付けることをいうものとする。
【００４１】
折丁間に紙片ＩＣタグが有る場合は、特に目に付き易いので、宣伝広告等の印刷を紙片ＩＣタグに施しておくのが好ましい。ＩＣタグ面への印刷は、アンテナパターンの印刷前か、アンテナパターンの印刷と同時に行うことができる。
図１１は、表紙１４と見返し１６の間に紙片ＩＣタグ１を有する無線綴じ本の例を示す。見返し１６の一部を破断した状態を示している。見返しと表紙または裏表紙の間を接着しているので、紙片ＩＣタグ１のあることを隠蔽でき、購入者に不安や不快感を与えることがない。
【００４２】
（３）中綴じの場合も同様である。中綴じの場合は、折丁を開いた状態でギャザリングチェーン上に順次供給して丁合する。紙片ＩＣタグ１は、任意の折丁の間に重ねて挿入することができる。あるいは、見返しと折丁の間、または、見返しの外面に紙片ＩＣタグ貼り込みしてから中綴じして製本することもできる。
中綴じで折丁間に挿入する場合は、折丁を開いて重ねるので折り線を有する紙片ＩＣタグを使用することになる。
図１２は、見返し１６の外面であって、表紙１４との間に紙片ＩＣタグ１を挿入または貼り込みして中綴じした書籍・雑誌１０の例を示している。
図１３は、任意の折丁間に紙片ＩＣタグ１を挿入して中綴じした書籍・雑誌１０の例を示している。
【００４３】
（４）上製本の場合は、折丁を糸かがりして背糊固めした後、仕上げ裁ちする。その後、自動表紙貼り機を用いてクロス貼り等した表紙を貼り合わせる。
表紙貼り後、丸み付け整形やのど際の溝付け等を行う場合もある。
上製本の場合も、見返しと折丁の間、または、見返しの外面に紙片ＩＣタグを挿入または貼り込みしてから表紙貼りして製本することができる。
図１４は、上製本の見返し１６と本文頁１３の間に紙片ＩＣタグ１を挿入または貼り込みした書籍である。
図１５は、上製本の見返し１６と表紙１４の間に紙片ＩＣタグ１を貼り込みし、表紙くるみの工程で紙片ＩＣタグ１が見返しと表紙または裏表紙の間に挟まれるようにした書籍の例を示している。
【００４４】
【実施例】
以下、本発明の実施例を図１、図２、図３、図８、図９、図１１、図１２、図１５を参照して説明する。
（実施例１）
＜紙片ＩＣタグの製作＞
紙片ＩＣタグ用の基材に、厚み４１０μｍのマリコート紙（３１０ｇ／ｍ２  ）を使用し、第３実施形態の紙片ＩＣタグを作製した（図３）。
この基材（１つのＩＣタグ用紙片の大きさ；２００ｍｍ×１５０ｍｍのサイズを中心の折り線で二つ折りしたもの）の二つ折りの一方側紙片１ｂに、コイル状のアンテナパターンを導電性のシルクスクリーンインキ（十条ケミカル社製「ＣＨＶシリーズ」）を使用して、シルクスクリーン印刷した。
【００４５】
アンテナコイルの外形は、４５ｍｍ×７５ｍｍの矩形状となるようにした。
コイルの線幅は約１ｍｍ、線間は０．５ｍｍとなるようにし、コイルが５回巻きとなるように印刷した。インキ盛り量は、約１５０μｍであった。
アンテナコイル３の両端部分間が約０．８ｍｍの間隔になるようにし、当該部分が中心となるようにして、３ｍｍ×３ｍｍの先端が正方形状のエンボス型で押圧して深さ２５０μｍの凹溝４を形成した。
エンボス後は、図８（Ｂ）のように、アンテナコイルの両端部は凹溝４の底面に位置するようになった。
【００４６】
この凹溝４内に、外形２．０×２．０ｍｍ、厚み４００μｍの非接触通信機能を有するＩＣチップ２のパッド面に異方導電性接着剤を塗布して、各パッドがアンテナコイルの両端部に位置するように装着して固定した。
この状態で、紙片ＩＣタグ１に書き込みし、非接触通信機能を試験したところ、良好にリードライトできることが確認できた。
【００４７】
＜紙片ＩＣタグ付き書籍・雑誌の製作＞
本文用紙に「カナリヤ」（４０．５ｋｇ／７６５×１０７６ｍｍ）を使用してオフセット輪転で印刷し、Ｂ５判１２８ページ（折丁３２頁４台）と口絵用紙に「キングオー」（６０ｋｇ／７６５×１０８５ｍｍ）を使用してオフセット輪転で印刷し、Ｂ５判２４ページ（折丁８頁３台）を準備した。
丁合後は束厚１０ｍｍ程度になった。
別に、表紙用紙にトップコート紙（８８ｋｇ／７６５×１１００ｍｍ）を使用して、Ｂ５判折丁４頁１台をオフセット輪転印刷で行った。
中綴じ工程において、最終折丁の外面（見返し面）であって表紙面側に、先に準備した紙片ＩＣタグ１を挿入（折り線６で跨がせて）してから、表紙を被せ中綴じし裁断した。見返し面と表紙の内面を接着して紙片ＩＣタグ１が見えないようにした。
これにより、図１２図示のような紙片ＩＣタグ付き雑誌１０が得られた。
【００４８】
（実施例２）
＜紙片ＩＣタグの製作＞
紙片ＩＣタグ用の基材に、厚み１３０μｍの上質紙（１１０ｇ／４６判）を使用し、第２実施形態の紙片ＩＣタグを作製した（図２）。
この基材（紙片の大きさ；１００ｍｍ×１５０ｍｍ）の紙片１ｂに、コイル状のアンテナパターンを導電性のシルクスクリーンインキ（十条ケミカル社製「ＣＨＶシリーズ」）を使用して、シルクスクリーン印刷した。
【００４９】
アンテナコイルの外形は、４５ｍｍ×７５ｍｍの矩形状となるようにした。
コイルの線幅は約１ｍｍ、線間は０．５ｍｍとなるようにし、コイルが５回巻きとなるように印刷した。インキ盛り量は、約２３０μｍであった。
アンテナコイル３の両端部分間が約２．０ｍｍの間隔になるようにし、当該部分の中央が中心となるようにして、２ｍｍ×２ｍｍに打ち抜いて透孔５を形成した。
【００５０】
この透孔５内に、外形２．０×２．０ｍｍ、厚み４００μｍの非接触通信機能を有する拡張端子付きＩＣチップ２ｗを嵌め込みした。ＩＣチップ２ｗの両端子ｗ１，ｗ２に導電性接着剤を塗布して、各端子がアンテナコイルの両端部上に位置するように装着して固定した。
この状態で、紙片ＩＣタグ１に書き込みし、非接触通信機能を試験したところ、良好にリードライトできることが確認できた。
【００５１】
＜紙片ＩＣタグ付き書籍・雑誌の製作＞
本文用紙に、「クリームキンマリ」（７０ｋｇ／７８８×１０９６ｍｍ）を使用しオフセット輪転で印刷し、Ｂ５判２１６ページ（折丁１６頁１３台＋８頁１台）を準備した。丁合後の本文厚みは１１ｍｍ程度となった。
別に、表紙には、チップボール２８号に表紙クロス（Ｔ細布）貼りしたものを準備した。
製本工程において、表紙内面側に先に準備した紙片ＩＣタグ１を貼り込みしてから、本文頁に表紙貼りする工程を行い、見返し面と表紙の内面を接着して紙片ＩＣタグ１が見えないようにした。これにより、図１５図示のような紙片ＩＣタグ付き書籍１０が得られた。出来本厚は１６ｍｍ程度となった。
【００５２】
（実施例３）
＜紙片ＩＣタグの製作＞
紙片ＩＣタグ用の基材に、厚み４１０μｍのマリコート紙（３１０ｇ／ｍ２  ）を使用し、第１実施形態の紙片ＩＣタグを作製した（図１）。
この基材（紙片の大きさ；１００ｍｍ×１５０ｍｍのサイズ）紙片１ｂに、コイル状のアンテナパターンを導電性のシルクスクリーンインキ（十条ケミカル社製「ＣＨＶシリーズ」）を使用してシルクスクリーン印刷した。
なお、コイル線のインキ盛り量は、約１５０μｍになるようにした。
【００５３】
アンテナコイルの外形は、４５ｍｍ×７５ｍｍの矩形状となるようにし、コイルの線幅は約１．０ｍｍ、線間は０．５ｍｍ、コイルが５回巻きとなるようにした。ただし、ＩＣチップ２を装着する部分はコイルの両端の接続端子３ａ，３ｂがアンテナ線束に接近するように幅約０．４ｍｍの細線にした（図９（Ａ）。
アンテナコイルの両接続端子３ａ，３ｂ間を３ｍｍ×３ｍｍの大きさにエンボス型で押圧して深さ２５０μｍの凹溝４を形成した。
エンボス後は、図９（Ｂ）のように、アンテナコイル３は凹溝の底面に位置するようになった。
【００５４】
この凹溝４内に、外形２．０×２．０ｍｍ、厚み４００μｍの非接触通信機能を有するＩＣチップ２を嵌め込みし、パッドｐ１，ｐ２と両接続端子３ａ，３ｂ間を導電性接着テープ８ｔで固定して装着した（図９（Ｃ））。
この状態で、紙片ＩＣタグ１に書き込みし、非接触通信機能を試験したところ、良好にリードライトできることが確認できた。
【００５５】
＜紙片ＩＣタグ付き書籍・雑誌の製作＞
本文用紙に、「コウハクオオラフ」（４２．０ｋｇ／１０７６×７６５ｍｍ）を使用してオフセット輪転で印刷し、Ｂ５判１９２ページ（折丁３２頁６台）を準備した。丁合後は束厚１５ｍｍ程度になった。
別に、表紙用紙に「カタクリームコート」（１２．５ｋｇ／６４０×９４０ｍｍ）を使用して、Ｂ５判折丁４頁１台をオフセット輪転枚葉印刷した。
丁合工程において、最終折丁の外面（見返し面）であって表紙面側に、先に準備した紙片ＩＣタグ１を貼り込みしてから、見返し面と表紙の内面を接着して紙片ＩＣタグ１が見えないようにした。無線綴じしてから表紙貼りし裁断した。
これにより、図１１図示のような紙片ＩＣタグ付き雑誌１０が得られた。
【００５６】
以上のように、本発明の実施形態について説明したが、本発明の概念を逸脱しない範囲での各種変形実施形態は可能であり、本発明の適用範囲外とするものではない。
例えば、本発明で表紙というのは裏表紙をも含む概念である。また、片観音表紙（表紙の先端を本文側に折り畳んだ形式の表紙のこと。）の観音折内に、紙片ＩＣタグを貼り込んだとしても表紙と見返し間に紙片ＩＣタグを貼り込みしたことに変わりはない。観音部分を表紙に貼り込んだ場合も同様である。
またさらに、４頁口絵が袋とじになっている折丁で、中面に紙片ＩＣタグが貼り込まれた書籍・雑誌も同様である。
【００５７】
【発明の効果】
以上詳しく説明したように本発明によれば以下の効果が得られる。
本発明の紙片ＩＣタグは、紙片や折丁を扱いの対象とする従来設備のみで製本加工できるので、非接触ＩＣタグの書籍・雑誌への貼付に伴う新たな設備負担を軽減できる。
また、本発明の紙片ＩＣタグは、ＩＣチップの厚みを吸収する凹溝や透孔が形成されているので、紙片ＩＣタグを積み上げた状態が不安定とならず、作業効率を高めることができる。
本発明の紙片ＩＣタグ付き書籍・雑誌は、ＩＣタグの基材が紙片のみでできているので、フィルム基材を使用する場合に比較して紙資源の再生使用、廃棄処理等が容易になる。
【図面の簡単な説明】
【図１】紙片ＩＣタグの第１実施形態を示す図である。
【図２】紙片ＩＣタグの第２実施形態を示す図である。
【図３】紙片ＩＣタグの第３実施形態を示す図である。
【図４】紙片ＩＣタグの第４実施形態を示す図である。
【図５】紙片ＩＣタグの第５実施形態を示す図である。
【図６】紙片ＩＣタグの第６実施形態を示す図である。
【図７】拡張端子付きＩＣチップを示す図である。
【図８】アンテナコイルとＩＣチップの接続部を示す図である。
【図９】ＩＣチップの他の装着方法を示す図である。
【図１０】折丁の間に紙片ＩＣタグを挿入して無線綴じした書籍・雑誌を示す。
【図１１】表紙と見返しの間に紙片ＩＣタグを有する無線綴じ本の例を示す。
【図１２】見返しの外面であって表紙との間に紙片ＩＣタグを挿入または貼り込みした書籍・雑誌の例を示す。
【図１３】任意の折丁間に紙片ＩＣタグを有する書籍・雑誌の例を示す。
【図１４】本文頁と見返しの間に紙片ＩＣタグを挿入または貼り込みした書籍の例を示す。
【図１５】見返しと表紙の間に紙片ＩＣタグを貼り込みした書籍を示す。
【符号の説明】
１    紙片ＩＣタグ
２，２ｗ  ＩＣチップ
３    アンテナパターン
３ａ，３ｂ    アンテナパターン接続端子
４    凹溝
５    透孔
６，７    折り線
８    導電性接着剤
８ｔ  導電性接着テープ
９    綴じ針
１０    紙片ＩＣタグ付き書籍・雑誌
１１    折丁
１３    本文頁
１４    表紙
１５    裏表紙
１６    見返し
【図１】
2004334268.tif 000003
【図２】
2004334268.tif 000004
【図３】
2004334268.tif 000005
【図４】
2004334268.tif 000006
【図５】
2004334268.tif 000007
【図６】
2004334268.tif 000008
【図７】
2004334268.tif 000009
【図８】
2004334268.tif 000010
【図９】
2004334268.tif 000011
【図１０】
2004334268.tif 000012
【図１１】
2004334268.tif 000013
【図１２】
2004334268.tif 000014
【図１３】
2004334268.tif 000015
【図１４】
2004334268.tif 000016
【図１５】
2004334268.tif 000017